(57)【要約】【課題】注射器の使用後の刺突による事故を効果的に防止する。【解決手段】針管１８の針取付台１９を固定台と螺歯を螺合させてなり、緊密に組み合わせる効果を得るとともに、柄に凸状フックを設けてなり、ピストンに凸柱を設けてなり、固定台にフック片を設けてなり、薬液注射が完了する時に、筒が針管の固定台をフックして筒体中に退かせ、固定台および針管が傾斜状を呈し、針管が誤って筒体の外部に突出することを防止し、極めて好ましい使用便利性，安全防護効果を達成する。【選択図】図１
0003130988.tif 000002
【実用新案登録請求の範囲】
【請求項１】
薬液を収容する筒体、固定台、針取付台、針管、柄、ピストンからなり、
柄の前端にピストンを貫通する凸部を設けてその先端にフックを形成し、
ピストン前端の偏心位置に凸柱を設け、
針管を針取付台を介して固定台に取り付け、該固定台を筒体先端に嵌合して組立てた状態で使用後、ピストン前端の凸部先端のフックを該固定台に係合させて柄を引き出す操作により固定台および針取付台の針管を筒体中に後退させる際に、ピストンの上記偏心位置に設けた凸柱に当たって固定台および針取付台の針管が傾斜することにより、
針管が筒体内周壁に設けられた凸部に当接して再度筒体から脱出することを防止すること特徴とする注射器。
【請求項２】
前記固定台内に固定管を設けると共に該固定管外方に固定壁を設け、
固定壁内側には螺歯を設け、針管を取り付けた針取付台端縁には凸縁を設けて、針取付台を固定壁および固定管間にはめ込むことにより、該凸縁が固定壁の螺歯と緊密に螺合することを特徴とする請求項１記載の注射器。
【請求項３】
前記柄の凸部の頭部にフックを設け、前記固定台内に固定管を設けて固定管上端に形成した開口にフック片を設けて、薬液注射が完了した時、フックが固定管の中に挿入させて該フックをフック片に係合させ、柄を引き出す操作により固定台を筒体内に後退させて針管を筒体内に収容することを特徴とする請求項１記載の注射器。
【請求項４】
前記筒体の前端の内壁に凸歯を設けると共に固定台外周にこれと対応する凸歯を設けることにより、固定台および筒体の凸歯が相互に噛合い、固定台の回転を防止することを特徴とする請求項１記載の注射器。
【請求項５】
前記固定台の固定管内に充填管を設けることにより、固定管内の空間を減少させて薬液の残留量を減少させることを特徴とする請求項１記載の注射器。
【考案の詳細な説明】
【技術分野】
【０００１】
本考案は、注射器構造の安全構造の改良に関する。
【背景技術】
【０００２】
公知の薬液注射器は、注射が完了時に針管が誤って人を刺すことがあり、２つの処理方式を有するものである：（１）人力で針管を筒体から抜き離す、これは不注意で誤って刺してしまうことがある。（２）針管を筒体中に押し込む、これは針管をまた筒体の外部に出す時に不注意で刺してしまうことがある。即ち公知の方式は、いずれも誤って人を刺すことがあり、その安全性は最良ではない。
【０００３】
【特許文献１】特表２００６−５１６４５３号公報
【考案の開示】
【考案が解決しようとする課題】
【０００４】
本考案の目的は：
其の一、針管を組み合わせ固定する針取付台および固定台を、固定台が螺歯を有し針取付台と螺合を呈するように設計してなり、緊密に組み合わせる効果を達成する。
其の二、固定台中心通孔の入口箇所にフック片を設け、柄に凸フックを設けてなり、薬液注射完了時にフックがフック片をフックし、柄が固定台針管を筒体内に退かせ、針管が誤って人を刺すことを防止する効果を形成する。
其の三、柄前端のピストン端面が、凸柱を設けてなり、凸柱によって定位台を押し傾斜状を形成させ、針管も傾斜状を形成させ、筒体中に押さえ再度誤って押し出ることを防止する効果を得る。
其の四、筒体、固定台が相互に噛合い固定する凸歯を設けてなり、固定台およびその針管が空回りすることを防止する効果を得る。
【課題を解決するための手段】
【０００５】
図１，２，３，４に示すように、本考案は、1体に組み合わせてなる筒体１０、固定台１２、針取付台１９、針管１８、柄２０、ピストン２３からなるものである；前記柄２０前端には凸部２１を有してピストン２３を組み合わせ、ピストン２３前端には、凸柱２４を設けてなり；
前記固定台１２には、固定管１３を設けて、その外周には漏れ防止枠１２０を有し、その固定管１３の外面には、固定壁１４を設けてなり、固定壁１４の内壁には、螺歯１４０を設けてなり、針管１８の針取付台１９には、凸縁１９０を設けて、針取付台１９を固定壁１４、固定管１３間に嵌め込み、針取付台１９凸縁１９０は、固定壁１４の螺歯１４０と緊密に螺合し；
前記柄２０の凸部２１の頭部には、フック２２を設け、前記固定台１２の固定管１３の上端開口には、フック片１５を設ける。薬液注射が完了した時、フック２２は、固定管１３中に挿入でき、フック２２が、フック片１５に係合し、柄を引き出す操作により固定台１２を後退させて針管１８を筒体１０中に収納することができる。
前記筒体１０前端の内壁には、凸歯１１を設けてなり、固定台１２の外周には、対応する凸歯１６を設けて、固定台１２、筒体１０の凸歯１６、１１を相互に噛合わせ、固定台が回転することを防止し；
前記固定台１２の固定管１３中には、充填管１７を設け、充填管１７により、固定管１３内の空間を減少させ、薬液の残留量を減少させることができる。
【考案の効果】
【０００６】
本考案は、下記の長所を有する：
（１）薬液注射が完了し、柄２０のフック２２および針管１８の固定台１２のフック      片１５をフックさせ、簡易で便利に針管１８を筒体１０中に収納する効果を形成する。
（２）ピストン２３の凸柱２４が偏心した位置にあって固定台１２、針管１を傾斜さ      せ、注射針を収納後ピストンを再度押し込んでも針先が筒体内壁につかえて再度誤って押し出てしまうことを防止する効果を達成し、安全防護性を向上する      。
（３）筒体１０および固定台１２が相互に噛合う凸歯１１、１６を設けてなり、針管      １８を固定させ、注射時に回転しないようにする。
（４）固定台１２の固定管１３中に充填管１７を設けてなり、固定管１３の孔空間を      減少させ、薬液残留量を減少させ、薬液をできるだけ人体に注入させる効果を得る。
（５）針管１８の針取付台１９および固定台１２の組み合わせが、螺歯１４０、凸縁      １９０を設け螺合し、便利に組み立てることができ、緊密で漏れない効果を得ることができる。
【考案を実施するための最良の形態】
【０００７】
本考案の使用態様
先ず、針管１８の針取付台１９を固定台１２の固定壁１４の螺歯１４０に螺合して筒体に固定し、図２に示すように薬液注射を行なう。薬液の注射が完了し、図３の実線に示す状態において、柄２０の凸部２１のフック２２は、固定管１３の孔中に挿入しフック片１５に係合するので、柄２０を後退させ、固定台１２を伴って針取付台１９の針管１８を筒内に後退させて、針管１８が人を刺すことを防止する安全効果を達成する。また、図４に示すように、針管１８およびその固定台１２が筒体中に後退する時、ピストン２３の端面の偏心位置に設けた凸柱２４が、固定台１２を傾斜した状態に維持するため、再度ピストンを筒内に押し込んでも針管１８先端が筒体１０内壁の凸歯１１に当接して固定される。従って、柄を押し間違えることがあっても、「針管１８が凸歯１１に押さえられ」るので、針管１８が誤って筒体１０外に再度出てしまうことを防止する効果を達成する。
【０００８】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【図面の簡単な説明】
【０００９】
【図１】本考案の立体分解および局部断面図である。
【図２】本考案の組み合わせ断面図である。
【図３】本考案の固定台をフックした状態の断面図である。
【図４】本考案の針管が筒体中に収納される説明図である。
【符号の説明】
【００１０】
１０ 筒体
１１、１６ 凸歯
１２ 固定台
１３ 固定管
１４ 固定壁
１４０ 螺歯
１５ フック片
１７ 充填管
１８ 針管
１９ 針取付台
２０ 柄
２１ 凸部
２２ フック
２３ ピストン
２４ 凸柱
１２０ 漏れ防止枠
【図１】
0003130988.tif 000003
【図２】
0003130988.tif 000004
【図３】
0003130988.tif 000005
【図４】
0003130988.tif 000006